(57)【要約】【課題】捕獲した虫の鱗粉又は死骸の塵が外部に飛散することを防止する送風機を提供する。【解決手段】吸込口及び吹出口を有する筐体と、該筐体内に配置してあり、前記吸込口から吸気し、前記吹出口から排気する送風ファンとを備える送風機において、前記筐体は前記第一筐体と、前記第一筐体に取り付けられた第二筐体とを備え、前記第一筺体に前記第二筺体が取り付けられることによって、虫を捕獲するための空間が形成されることを特徴とする送風機。【選択図】図２
2018174939.tif 000002
【特許請求の範囲】
【請求項１】
吸込口及び吹出口を有する筐体と、該筐体内に配置してあり、前記吸込口から吸気し、前記吹出口から排気する送風ファンとを備える送風機において、
前記筐体は
前記第一筐体と、
前記第一筐体に取り付けられた第二筐体と
を備え、
前記第一筺体に前記第二筺体が取り付けられることによって、虫を捕獲するための空間が形成されること
を特徴とする送風機。
【請求項２】
前記吸込口から吸い込まれた空気を濾過する濾過フィルタをさらに備え、
前記吸込口及び前記濾過フィルタ間の通気経路に前記空間が設けられていること
を特徴とする請求項１に記載の送風機。
【請求項３】
前記通気経路に虫を誘引する誘引部を設けてあること
を特徴とする請求項２に記載の送風機。
【請求項４】
前記誘引部は光源によって構成されており、
前記光源のピーク波長が３６０ｎｍに設定されているか又は前記光源は近紫外光を発すること
を特徴とする請求項３に記載の送風機。
【請求項５】
前記光源の周囲に光触媒が設けられていること
を特徴とする請求項４に記載の送風機。
【請求項６】
前記筐体が黒色であること
を特徴とする請求項１から５のいずれか一つに記載の送風機。
【請求項７】
前記吸込口がスリット状をなすこと
を特徴とする請求項１から６のいずれか一つに記載の送風機。 
【発明の詳細な説明】
【技術分野】
【０００１】
本発明は吸い込んだ空気に含まれる塵埃を捕集して吹き出す送風機に関する。
【背景技術】
【０００２】
室内の空気は、花粉、ダニ、カビ等のアレルギー物質及びウイルス等様々な物質が浮遊し、アレルギー症状又は感染症を引き起こす原因となっている。特に近年では住宅が高気密化されているため、汚染物質が室内に滞りがちである。また、従来は部屋の窓を適宜解放して自然換気を行なっていたが、大気汚染、花粉症等の理由で屋外の空気を取り込むことが困難な場合がある。このような事情から、最近では室内の空気を浄化する空気浄化機能を有する送風機、例えば空気清浄機が普及してきている（例えば特許文献１参照）。
【０００３】
また、世界中で蚊によって媒介されるウイルスの感染症が問題になっており、粘着シート又は空気を吸引する力によって捕虫する捕虫器が提案されている。
【先行技術文献】
【特許文献】
【０００４】
【特許文献１】特開２００９−６６４６６号公報
【発明の概要】
【発明が解決しようとする課題】
【０００５】
吸引機構を有する捕虫器の場合、吹き出し口から虫の鱗粉や死骸による細かい塵が製品外部に吹き出す。また吸引機構の無い捕虫器であっても、虫が動き回って鱗粉や塵が舞い上がり、虫が侵入した隙間又は開口から製品外部に飛散する。
【０００６】
本発明は斯かる事情に鑑みてなされたものであり、捕獲した虫の鱗粉又は死骸の塵が外部に飛散することを防止することを目的とする。
【課題を解決するための手段】
【０００７】
本発明に係る送風機は、吸込口及び吹出口を有する筐体と、該筐体内に配置してあり、前記吸込口から吸気し、前記吹出口から排気する送風ファンとを備える送風機において、前記筐体は前記第一筐体と、前記第一筐体に取り付けられた第二筐体とを備え、前記第一筺体に前記第二筺体が取り付けられることによって、虫を捕獲するための空間が形成されることを特徴とする。
【０００８】
本発明に係る送風機は、前記吸込口から吸い込まれた空気を濾過する濾過フィルタをさらに備え、前記吸込口及び前記濾過フィルタ間の通気経路に前記空間が設けられていることを特徴とする。
【０００９】
本発明に係る送風機は、前記通気経路に虫を誘引する誘引部を設けてあることを特徴とする。
【００１０】
本発明に係る送風機は、前記誘引部は光源によって構成されており、前記光源のピーク波長が３６０ｎｍに設定されているか又は前記光源は近紫外光を発することを特徴とする。
【００１１】
本発明に係る送風機は、前記光源の周囲に光触媒が設けられていることを特徴とする。
【００１２】
本発明に係る送風機は、前記筐体が黒色であることを特徴とする。
【００１３】
本発明に係る送風機は、前記吸込口がスリット状をなすことを特徴とする。
【発明の効果】
【００１４】
本発明にあっては、吸込口及び濾過フィルタ間の通気経路に捕虫部を設けているので、送風機の機能を有しつつ捕獲した虫の鱗粉又は死骸の塵が外部に飛散することを防止できる。
【図面の簡単な説明】
【００１５】
【図１】実施の形態１に係る送風機を略示する分解斜視図である。
【図２】送風機を略示する縦断面図である。
【図３】捕虫ユニットを略示する正面図である。
【図４】実施の形態２に係る送風機の捕虫ユニットを略示する斜視図である。
【図５】実施の形態３に係る送風機の捕虫ユニットを略示する斜視図である。
【発明を実施するための形態】
【００１６】
（実施の形態１）
以下本発明を実施の形態１に係る送風機１を示す図面に基づいて説明する。図１は送風機１を略示する分解斜視図、図２は送風機１を略示する縦断面図である。なお以下の説明における上下左右前後は、図中に示した上下左右前後に対応する。
【００１７】
送風機１は、送風ユニット１０と、捕虫ユニット２０とを備える。送風ユニット１０は、直方体状の筐体１１を備える。筐体１１の上面には空気を吹き出す吹出口１３が設けてあり、筐体１１の後面に網状部１２が形成してある。該網状部１２には、例えば１辺の寸法が略０．５ｍｍの正方形状をなす複数の開口が設けてある。筐体１１内には、網状部１２に対向するように、空気を濾過する濾過フィルタ１７が設けてある。
【００１８】
濾過フィルタ１７は、微細な塵（例えば２〜３ミクロンの寸法の塵）を捕獲することができるように構成されている。例えばポリエステル製のメルトブロー不織布に電石加工（静電加工）を施してなる濾材（いわゆるＨＥＰＡ（High Efficiency Particulate Air ）フィルタ）によって構成され、静電気によって塵埃を吸着する。
【００１９】
濾過フィルタ１７の前側にＬ形の風路１４が形成されている。風路１４は、前後方向に延びた前後風路１５と、該前後風路１５の前端に連なり、上下方向に延びた上下風路１６とを備える。前後風路１５は濾過フィルタ１７の下部に対向する。上下風路１６の上端部は吹出口１３に連なる。
【００２０】
上下風路１６の下端部（前後風路１５に連結する部分）に送風ファン３０が設けてある。送風ファン３０は、前後軸回りに回転するモータ３１と、該モータ３１の回転軸に連結した羽根部３２とを備える。モータ３１の回転によって、網状部１２、濾過フィルタ１７及び前後風路１５を通って空気が吸引され、上下風路１６及び吹出口１３を経て、空気が吹き出される。
【００２１】
前記捕虫ユニット２０は、送風ユニット１０の後面に取り外し可能に取り付けてある。図３は捕虫ユニット２０を略示する正面図である。
【００２２】
捕虫ユニット２０は、前面が開口した直方体状の筐体２１を備える。筐体２１の後面部２１ａ（一方の対面部）は、送風ユニット１０の筐体１１の前面部１１ａ（他方の対面部）に対向する位置にある。筐体２１の左右の側面部２１ｂ、２１ｂそれぞれは左斜め後方
又は右斜め後方に向けて（後面部２１ａ側に向けて）突出した曲面状をなす。筐体２１の左右の側面部２１ｂ、２１ｂそれぞれに、四つの吸込口２２、２２、２２、２２が上下に並設してある。吸込口２２は左右の側面部２１ｂの形状に倣って、後面部２１ａ側に向けて開口している。なお左右の側面部２１ｂを、その外面が後面部２１ａ側に向いた傾斜面状に形成してもよい。なお吸込口２２の数は四つに限定されず、三つ以下又は五つ以上であってもよい。また筐体２１の左右いずれかの側面部２１ｂに吸込口２２を設けてもよい。また筐体２１の上面（側面）を、後面部２１ａ側に向けて突出した曲面状に形成するか又はその外面が後面部２１ａ側に向いた傾斜面状に形成し、上面に吸込口２２を設けてもよい。
【００２３】
筐体２１の左側面の下端部に開口２３が設けてあり、該開口２３に落下した塵を貯留する貯塵箱２４が挿入してある。貯塵箱２４は左右に長く、上側が開口している。貯塵箱２４は開口２３から抜き出すことができる。ユーザは、必要に応じて貯塵箱２４を抜き出し、貯留した塵や虫の死骸を取り出すことができる。また、送風機１の網状部１２に網状部清掃用のブラシを備え、貯塵箱２４の脱着時、前記ブラシが貯塵箱２４の脱着方向に連動して可動し、網状部１２に付着した埃が貯塵箱２４に落下し捕集される構造であっても良い。
【００２４】
筐体２１の内側において、筐体２１の後面に粘着シート２５が設けてある。筐体２１の上面には二つの光源２６、２６が設けてある。なお光源２６の個数は二つに限定されず、一又は三つ以上であってもよい。光源２６は、捕虫ユニット２０側ではなく、送風ユニット１０側に形成されるものであっても構わない。光源２６としては、ピーク波長が３６０ｎｍ程度に設定された蛍光ランプが挙げられるが、虫を誘引する構成であればこれに限定されない。例えば可視光線を発する光源２６であってもよい。また光源はランプに限定されず、例えば発光ダイオードであってもよい。なお夜行性の蚊は近紫外光に誘引されやすいので、近紫外光を発する光源２６を使用することが好ましい。
【００２５】
光源２６が点灯した場合、光源２６の光は吸込口２２から外部に放出される。虫は光源２６の光に反応して誘引され、吸込口２２から捕虫ユニット２０の筐体２１内に入り込む。入り込んだ虫は、停止して休憩すべく、捕虫ユニット２０の後面に接近する。後面には粘着シート２５が設けてあるので、粘着シート２５に接触した虫は動けなくなる。すなわち送風ファン３０の吸引力の大小に拘わらず、虫は捕獲される。粘着シート２５は捕虫ユニット２０の後面に設けてあるが、他の箇所に設けてもよい。例えば捕虫ユニット２０の底面（貯塵箱２４の底面）に設けてもよい。また粘着シート２５に代えて、網状をなす粘着ネットを使用し、この粘着ネットを網状部１２に設けるか又は網状部１２自体を粘着ネットにしてもよい。
【００２６】
上述したように、吸込口２２は後面部２１ａ側に向けて略開口しているので光源２６の光が前方に向いて進むことはない。送風機１は後面部２１ａを室内の壁に対向させて設置することが多く、そのため、ユーザが光源２６の光を直接視認することを防止することができる。また吸込口２２は斜め後方向に開口しているので、左右方向にも光源２６の光が進行し、真後ろに開口している場合に比べて、広範囲に光を照射し、効率よく虫を誘引することができる。また後面部２１ａを壁に接近させた場合、送風機１の後方及び左右において、吸込口２２から出射した光が壁に投影されるので、あたかも壁を大型のスクリーン又はランプのように使用することができ、より一層容易且つ効率的に虫を誘引することができる。
【００２７】
送風ファン３０の駆動によって、吸込口２２から空気が吸い込まれ、網状部１２、濾過フィルタ１７及び風路１４を通過し、吹出口１３から吹き出される。なお吸込口２２及び吹出口１３間の経路は通気経路となっている。
【００２８】
空気の通流によって、虫の鱗粉又は虫の死骸の塵が送風ユニット１０側に移動するが、鱗粉又は塵は濾過フィルタ１７に捕獲される。そのため鱗粉又は塵が吹出口１３から外部に飛散することが防止される。
【００２９】
なお光源２６の周囲に二酸化チタンを含む光触媒（二酸化炭素発生部）を設けてもよい。紫外線が光触媒に照射されると、光触媒表面に活性酸素が発生し、本活性酸素が有機物（例えばホルムアルデヒド）を分解して二酸化炭素と水に変化させる。蚊は二酸化炭素の濃度の高い方へ向かう習性があるので、捕虫ユニット２０内に誘引され易くなる。
【００３０】
なお二酸化チタンを含む光触媒に代えて、酸化亜鉛、酸化ニッケル、酸化銅、硫化亜鉛、硫化カドミウム、硫化水銀又はセレン化カドミウム等を含む光触媒を使用してもよい。光触媒に代えて、他の二酸化炭素発生部を設けてもよい。例えばドライアイス、発酵式二酸化炭素発生部又は石灰及び塩酸を使用する二酸化炭素発生部を設けてもよい。
【００３１】
光源２６は所定時間経過毎に一旦、消灯する構成であってもよい。例えば１時間経過毎に数分消灯する構成であってもよい。また、送風の強さを所定時間経過後に変更するか又は一旦停止する構成であってもよい。蚊は刺激の変化に反応するため、このように構成することによって、捕虫ユニット２０に誘引され易くなる。
【００３２】
また光源２６に代えて又は光源２６と共に、虫を誘引する所定周波数の音波（虫が羽根を擦って発生させる音波）を発生する音波発生部を設けてもよい。雄の蚊は、雌の蚊の羽音周波数に誘引されやすい。
【００３３】
上述したように、吸込口２２は後面部２１ａ側に向けて開口しているので音波発生部の音が前方に向いて進むことを軽減することができる。すなわちユーザに音が直接届くことを軽減することができる。また吸込口２２は斜め後方向に開口しているので、左右方向にも音が進行し、真後ろに開口している場合に比べて、広範囲に音を放出し、効率よく虫を誘引することができる。
【００３４】
また光源２６に代えて又は光源２６と共に、捕獲ユニット内を２５℃〜４０℃程度に加温する加温部を有するものであってもよい。蚊は、一般的に温度の高い方へ向かう習性があるので捕虫ユニット２０内に誘引されやすい。
【００３５】
送風ユニット１０又は捕虫ユニット２０の外観を虫の好む色、例えば黒色に着色してもよい。着色によって、捕虫ユニット２０に虫が誘引されやすくなる。なお蚊は黒色に誘引されやすい。
【００３６】
ユーザは、捕虫ユニット２０を送風ユニット１０から取り外し、粘着シート２５を新しい粘着シート２５に交換することができる。なお捕虫ユニット２０の内側において、筐体２１の後面に、外部から着脱可能なスライド部を設け、該スライド部に粘着シート２５を設けてもよい。この場合、ユーザは、前記板を捕虫ユニット２０から取り外して、スライド部に設けた粘着シート２５を新しい粘着シート２５に交換して、スライド部を捕虫ユニット２０に取り付けるか又は新しい粘着シート２５を設けた別のスライド部を捕虫ユニット２０に取り付けることができる。
【００３７】
なお虫を捕獲する手段は、粘着シート２５に限定されるものではく、網状又は凹凸状等他の形状の粘着部を使用するか又は粘着性の塗料を筐体２１の後面に直接塗布し、粘着部として使用してもよい。粘着部を設ける箇所は捕虫ユニット２０の筐体２１後面に限られない。例えば、筐体２１の底面又は送風ユニット１０の筐体１１後面に粘着部を設けても
よい。また粘着シート２５に代えて、虫を捕獲するネットを捕虫器ユニットの筐体２１内に設けてもよい。また虫を捕獲する迷路構造、例えばクランク形状の通路を筐体２１内に設けて、該通路を吸込口２２に連結させてもよい。
【００３８】
なお送風機１に脱臭フィルタ又はイオン発生器を更に追加し、送風機１を集塵以外の機能も有する空気清浄機として使用してもよい。また冷却器を追加して冷風機として使用してもよく、熱交換器を追加して、空気調和機として使用してもよい。
【００３９】
（実施の形態２）
以下本発明を実施の形態２に係る送風機１を示す図面に基づいて説明する。図４は捕虫ユニット２０を略示する斜視図である。
【００４０】
捕虫ユニット２０の筐体２１における左右の側面部２１ｂ、２１ｂそれぞれに、上下に延びたスリット状の吸込口２２が設けてある。例えば、吸込口２２は左右寸法１５ｃｍ且つ上下寸法３０ｃｍに設計されている。吸込口２２をスリット状に形成することによって、開口面積を小さくして吸込時の風速を高くすることができる。そのため捕虫ユニット２０に入り込んだ虫が吸込口２２から外部に逃げることを防止することができる。蚊は風速２ｍ／ｓ以上で外部へ逃げ出し難くなる。
【００４１】
実施の形態２に係る送風機１の構成の内、実施の形態１と同様な構成については同じ符号を付し、その詳細な説明を省略する。
【００４２】
（実施の形態３）
以下本発明を実施の形態３に係る送風機１を示す図面に基づいて説明する。図５は捕虫ユニット２０を略示する斜視図である。
【００４３】
捕虫ユニット２０の筐体２１における左右の側面部２１ｂ、２１ｂそれぞれに、上下に長い断面台形状の凹部２７が形成してある。凹部２７の底は開口しており、スリット状の吸込口２２を形成している。例えば、吸込口２２は左右寸法１５ｃｍ且つ上下寸法３０ｃｍに設計されている。
【００４４】
凹部２７は、上下方向に延び、互いに対向する二つの縦側面２８ａ、２８ｂと、二つの縦側面２８ａ、２８ｂの上端部及び下端部夫々を連結しており、互いに対向する上側面２９ａ及び下側面２９ｂとを備える。内側（吸込口２２側）の横幅及び縦幅（縦側面２８ａ、２８ｂ間の対向間距離並びに上側面２９ａ及び下側面２９ｂ間の対向間距離）が、外側（吸込口２２の反対側）の横幅及び縦幅よりも小さくなるように、縦側面２８ａ、２８ｂ、上側面２９ａ及び下側面２９ｂは、左右側面２１ｂ、２１ｂに対し略４５度の角度で傾斜している。凹部２７の深さ方向において、縦側面２８ａ、２８ｂ、上側面２９ａ及び下側面２９ｂ夫々の寸法は、例えば略３ｃｍとなっている。また縦側面２８ａ、２８ｂ、上側面２９ａ及び下側面２９ｂは透光性を有する部材で構成される。
【００４５】
凹部２７の底にスリット状の吸込口２２を形成することによって、捕虫ユニット２０に入り込んだ虫が吸込口２２から外部に逃げることを防止することができる。蚊は風速２ｍ／ｓ以上で外部へ逃げ出し難くなる。また吸込口２２だけではなく、吸込口２２の周囲に位置する縦側面２８ａ、２８ｂ、上側面２９ａ及び下側面２９ｂからも光が外部に放出されるので、虫を誘引する機能を強化することができる。更に凹部２７の側面（縦側面２８ａ、２８ｂ、上側面２９ａ及び下側面２９ｂ）が、凹部２７の底部（吸込口２２）側が狭くなるように傾斜しているので、誘引された虫が吸込口２２内に誘導されやすくなる。
【００４６】
なお、縦側面２８ａ、２８ｂ、上側面２９ａ及び下側面２９ｂのみならず、これらの周
囲の部分をも透光性を有する部材で構成してもよい。実施の形態３において、縦側面２８ａ、２８ｂ、上側面２９ａ及び下側面２９ｂの全てが傾斜しているが、全ての側面が傾斜している必要は無く、少なくとも一つの側面が傾斜していればよい。
【００４７】
実施の形態３に係る送風機１の構成の内、実施の形態１又は２と同様な構成については同じ符号を付し、その詳細な説明を省略する。
【００４８】
今回開示した実施の形態は、全ての点で例示であって、制限的なものではないと考えられるべきである。各実施例にて記載されている技術的特徴は互いに組み合わせることができ、本発明の範囲は、請求の範囲内での全ての変更及び請求の範囲と均等の範囲が含まれることが意図される。上述した実施の形態において、虫の例示として蚊を挙げたが、蚊以外の虫、例えばハエ又はアブ等も当然に本発明の捕獲対象に含まれる。
【００４９】
以上の本発明の実施の形態に関し、更に以下の事項を開示する。
【００５０】
本発明に係る送風機は、吸込口２２及び吹出口１３を有する筐体１１、２１と、該筐体１１、２１内に配置してあり、前記吸込口２２から吸気し、前記吹出口１３から排気する送風ファン３０と、前記吸込口２２から吸い込まれた空気を濾過する濾過フィルタ１７とを備える送風機において、前記吸込口２２及び濾過フィルタ１７間の通気経路に虫を捕獲する捕虫部２５を設けてあり、前記筐体１１、２１は前記送風ファン３０を収容した第一筐体１１と、前記第一筐体１１に取り外し可能に取り付けられた第二筐体２１とを備え、前記第二筐体２１は、開口した前部を前記第一筐体２１の後面に取り付けており、前記第二筐体２１の内側後面に前記捕虫部２５が設けられていることを特徴とする。
【００５１】
本発明に係る送風機は、前記筐体１１、２１が黒色であることを特徴とする。
【００５２】
本発明に係る送風機は、前記吸込口２２がスリット状をなすことを特徴とする。
【００５３】
本発明に係る送風機は、前記通気経路に虫を誘引する誘引部２６を設けてあることを特徴とする。
【００５４】
本発明に係る送風機は、前記誘引部２６は光源によって構成されており、前記光源のピーク波長が３６０ｎｍに設定されているか又は前記光源は近紫外光を発することを特徴とする。
【符号の説明】
【００５５】
１  送風機
１０  送風ユニット
１３  吹出口
１１  筐体
１１ａ  前面部（他方の対面部）
１７  濾過フィルタ
２０  捕虫ユニット
２１  筐体
２１ａ  後面部（一方の対面部）
２１ｂ  側面部
２２  吸込口
２５  粘着シート（捕虫部、粘着部）
２６  光源（誘引部）
２７  凹部
３０  送風ファン 
【図１】
2018174939.tif 000003
【図２】
2018174939.tif 000004
【図３】
2018174939.tif 000005
【図４】
2018174939.tif 000006
【図５】
2018174939.tif 000007